(57)【要約】【課題】磁気吸引が発生することを従来よりも確実に防止できるようにする。【解決手段】被検体２００を載置するためにの寝台４の近傍の床面上または床面下にループコイル１１，１２，１３を設置する。接近検出部１５は、静磁場磁石１により発生される静磁場からの漏洩磁場の強度が変化することによりループコイル１１，１２，１３のそれぞれに生じる誘導起電力の変化に基づいてＭＲＩ装置１００への磁性体の接近を検出する。防止動作制御部１６および防止動作部１７は、接近検出部１５によりＭＲＩ装置１００への磁性体の接近が検出されたことに応じて、ＭＲＩ装置１００に磁性体が磁場吸引されることを防止するための防止動作を行う。【選択図】      図１
2011000273.tif 000002
【特許請求の範囲】
【請求項１】
被検体を載置するために前記磁気共鳴診断装置に備えられた寝台の近傍の床面上または床面下に配置されたループコイルと、
前記磁気共鳴診断装置で発生される静磁場からの漏洩磁場の強度が変化することにより前記ループコイルに生じる誘導起電力の変化に基づいて前記磁気共鳴診断装置または前記寝台への磁性体の接近を検出する接近検出部と、
前記接近検出部により前記磁気共鳴診断装置への磁性体の接近が検出されたことに応じて、前記磁気共鳴診断装置に前記磁性体が磁場吸引されることを防止するための防止動作を行う防止動作部とを具備したことを特徴とする磁性体接近防止装置。
【請求項２】
被検体を載置するために前記磁気共鳴診断装置に備えられた寝台の近傍に配置されたループコイルと、
前記磁気共鳴診断装置で発生される静磁場からの漏洩磁場の強度が変化することにより前記ループコイルに生じる誘導起電力の変化に基づいて前記磁気共鳴診断装置への磁性体の接近を検出する接近検出部と、
前記接近検出部により前記磁気共鳴診断装置への磁性体の接近が検出されたことに応じて、前記磁気共鳴診断装置に前記磁性体が磁場吸引されることを防止するための防止動作を行う防止動作部と、
前記ループコイルと前記接近検出部との電気的な接続をオン／オフするスイッチと、
前記磁気共鳴診断装置にて励起パルスの送信が開始されるのに先立つ所定の第１のタイミングと前記励起パルスの送信が停止された後の所定の第２のタイミングとをそれぞれ検出する検出部と、
前記検出部により前記第１のタイミングが検出されてから前記第２のタイミングが検出されるまでの期間には前記ループコイルと前記接近検出部との電気的な接続をオフするように前記スイッチを制御する制御手段とを具備したことを特徴とする磁性体接近防止装置。
【請求項３】
前記ループコイルは、前記寝台の近傍の床面上または床面下に配置されることを特徴とする請求項２に記載の磁性体接近防止装置。
【請求項４】
前記ループコイルを複数個備え、当該複数のループコイルは、前記寝台の周囲のそれぞれ異なる位置に設置されることを特徴とする請求項１乃至請求項３のいずれか一項に記載の磁性体接近防止装置。
【請求項５】
静磁場を発生する静磁場磁石と、
被検体を載置するための寝台と、
前記被検体に印加するための励起パルスを送信する送信機と、
前記寝台の近傍の床面上または床面下に配置されたループコイルと、
前記静磁場からの漏洩磁場の強度が変化することにより前記ループコイルに生じる誘導起電力の変化に基づいて前記寝台への磁性体の接近を検出する接近検出部と、
前記接近検出部により前記寝台への磁性体の接近が検出されたことに応じて、前記磁気共鳴診断装置に前記磁性体が磁場吸引されることを防止するための防止動作を行う防止動作部と、
前記ループコイルと前記接近検出部との電気的な接続をオン／オフするスイッチと、
所定のパルスシーケンスに従って前記励起パルスを送信するように前記送信機を制御するとともに、前記パルスシーケンスに従った励起パルスを最初に送信するのに先立つ第１のタイミングから前記パルスシーケンスに従った励起パルスを最後に送信した後の第２のタイミングまでの期間には前記ループコイルと前記接近検出部との電気的な接続をオフするように前記スイッチを制御する制御手段とを具備したことを特徴とする磁気共鳴診断装置。
【発明の詳細な説明】
【技術分野】
【０００１】
本発明は、磁気共鳴診断装置への磁性体の接近に関する警報を発する磁性体接近防止装置およびそのような警報が発する機能を備えた磁気共鳴診断装置に関する。
【背景技術】
【０００２】
磁気共鳴診断装置が発生する磁場は、磁気共鳴診断装置の外部にも及んでいる。このため、磁性体が上記の磁場によって磁気共鳴診断装置に吸引される、いわゆる磁場吸引が起こり得る。
【０００３】
近年、磁気共鳴診断装置が発生する磁場の強度は非常に大きくなっている。このため、大きな物体が吸引されたり、吸引される物体の移動速度が大きくなることがあり、吸引される物体と磁気共鳴診断装置との衝突によって、吸引される物体や磁気共鳴診断装置が損傷する恐れがあった。
【先行技術文献】
【特許文献】
【０００４】
【特許文献１】特開２００４−３５０８８８
【発明の概要】
【発明が解決しようとする課題】
【０００５】
このようなことから、磁気共鳴診断装置には磁性体を接近させないようにすることが、磁気共鳴診断装置の使用上のルールとして定められている。しかしながら、ヒューマンエラーは、３×１０-3の確率で発生すると言われており、完全に無くすことはできない。このため、人間の注意のみに頼っていては、磁場吸引を十分に防止することが困難であった。
【０００６】
そこで安全性を確保するためには、ハンディタイプの磁性体検出器を技師や看護師が用いて、磁気共鳴診断装置に接近する物体に磁性体が含まれているかどうかを検査することがある。しかしながらこのような検査では、被検体による磁性体所持の有無については比較的厳重に検査されるが、技師や看護師などが磁気共鳴診断装置の近辺に搬入する物体については検査が比較的甘くなりがちであるという傾向がある。このため、例えば点滴台、ストレッチャ、車椅子、あるいは酸素ボンベなどの医療器具は、それに磁性体が含まれていても磁気共鳴診断装置の近辺に持ち込まれてしまい、磁場吸引が生じてしまうことがあった。
【０００７】
本発明はこのような事情を考慮してなされたものであり、その目的とするところは、磁気吸引が発生することを従来よりも確実に防止できるようにすることにある。
【課題を解決するための手段】
【０００８】
本発明の第１の態様による磁性体接近防止装置は、被検体を載置するために前記磁気共鳴診断装置に備えられた寝台の近傍の床面上または床面下に配置されたループコイルと、前記磁気共鳴診断装置で発生される静磁場からの漏洩磁場の強度が変化することにより前記ループコイルに生じる誘導起電力の変化に基づいて前記磁気共鳴診断装置への磁性体の接近を検出する接近検出部と、前記接近検出部により前記磁気共鳴診断装置への磁性体の接近が検出されたことに応じて、前記磁気共鳴診断装置に前記磁性体が磁場吸引されることを防止するための防止動作を行う防止動作部とを備える。
【０００９】
本発明の第２の態様による磁性体接近防止装置は、被検体を載置するために前記磁気共鳴診断装置に備えられた寝台の近傍に配置されたループコイルと、前記磁気共鳴診断装置で発生される静磁場からの漏洩磁場の強度が変化することにより前記ループコイルに生じる誘導起電力の変化に基づいて前記磁気共鳴診断装置への磁性体の接近を検出する接近検出部と、前記接近検出部により前記磁気共鳴診断装置への磁性体の接近が検出されたことに応じて、前記磁気共鳴診断装置に前記磁性体が磁場吸引されることを防止するための防止動作を行う防止動作部と、前記ループコイルと前記接近検出部との電気的な接続をオン／オフするスイッチと、前記磁気共鳴診断装置にて励起パルスの送信が開始されるのに先立つ所定の第１のタイミングと前記励起パルスの送信が停止された後の所定の第２のタイミングとをそれぞれ検出する検出部と、前記検出部により前記第１のタイミングが検出されてから前記第２のタイミングが検出されるまでの期間には前記ループコイルと前記接近検出部との電気的な接続をオフするように前記スイッチを制御する制御手段とを備える。
【００１０】
本発明の第３の態様による磁気共鳴診断装置は、静磁場を発生する静磁場磁石と、被検体を載置するための寝台と、前記被検体に印加するための励起パルスを送信する送信機と、前記寝台の近傍の床面上または床面下に配置されたループコイルと、前記静磁場からの漏洩磁場の強度が変化することにより前記ループコイルに生じる誘導起電力の変化に基づいて前記寝台への磁性体の接近を検出する接近検出部と、前記接近検出部により前記寝台への磁性体の接近が検出されたことに応じて、前記磁気共鳴診断装置に前記磁性体が磁場吸引されることを防止するための防止動作を行う防止動作部と、前記ループコイルと前記接近検出部との電気的な接続をオン／オフするスイッチと、所定のパルスシーケンスに従って前記励起パルスを送信するように前記送信機を制御するとともに、前記パルスシーケンスに従った励起パルスを最初に送信するのに先立つ第１のタイミングから前記パルスシーケンスに従った励起パルスを最後に送信した後の第２のタイミングまでの期間には前記ループコイルと前記接近検出部との電気的な接続をオフするように前記スイッチを制御する制御手段とを備える。
【発明の効果】
【００１１】
本発明によれば、磁気吸引が発生することを従来よりも確実に防止できる。
【図面の簡単な説明】
【００１２】
【図１】本発明の一実施形態に係る磁気共鳴イメージング装置の構成を示す図。
【図２】図１中のループコイルの設置状況を示す斜視図。
【図３】図１中のコイル開閉部の詳細構成を示す図。
【図４】図１中のコイル開閉部の制御のための主制御部の処理手順を示すフローチャート。
【発明を実施するための形態】
【００１３】
以下、図面を参照して本発明の実施の形態について説明する。
【００１４】
図１は本実施形態に係る磁気共鳴イメージング装置（ＭＲＩ装置）１００の構成を示す図である。この図１に示すＭＲＩ装置１００は、静磁場磁石１、傾斜磁場コイル２、傾斜磁場電源３、寝台４、寝台制御部５、送信ＲＦコイルユニット６、送信部７、受信ＲＦコイルユニット８、受信部９、計算機システム１０、ループコイル１１，１２，１３、コイル開閉部１４、接近検出部１５、防止動作制御部１６および防止動作部１７を具備する。
【００１５】
静磁場磁石１は、中空の円筒形をなし、内部の空間に一様な静磁場を発生する。この静磁場磁石１としては、例えば永久磁石、超伝導磁石等が使用される。
【００１６】
傾斜磁場コイル２は、中空の円筒形をなし、静磁場磁石１の内側に配置される。傾斜磁場コイル２は、互いに直交するＸ，Ｙ，Ｚの各軸に対応する３種類のコイルが組み合わされている。傾斜磁場コイル２は、上記の３つのコイルが傾斜磁場電源３から個別に電流供給を受けて、磁場強度がＸ，Ｙ，Ｚの各軸に沿って変化する傾斜磁場を発生する。なお、Ｚ軸方向は、例えば静磁場と同方向とする。Ｘ，Ｙ，Ｚ各軸の傾斜磁場は、例えば、スライス選択用傾斜磁場Ｇs、位相エンコード用傾斜磁場Ｇeおよびリードアウト用傾斜磁場Ｇrにそれぞれ対応する。スライス選択用傾斜磁場Ｇsは、任意に撮像断面を決めるために利用される。位相エンコード用傾斜磁場Ｇeは、空間的位置に応じて磁気共鳴信号の位相を変化させるために利用される。リードアウト用傾斜磁場Ｇrは、空間的位置に応じて磁気共鳴信号の周波数を変化させるために利用される。
【００１７】
静磁場磁石１および傾斜磁場コイル２は、ガントリに収容される。ガントリには、傾斜磁場コイル２の内周に沿った空洞（撮影空間）が形成されている。
【００１８】
被検体２００は、寝台４の天板４ａに載置された状態でガントリの撮影空間内に挿入される。寝台４の天板４ａは寝台制御部５により駆動され、その長手方向および上下方向に移動する。通常、この長手方向が静磁場磁石１の中心軸と平行になるように寝台４が設置される。
【００１９】
送信ＲＦコイルユニット６は、少なくとも１つのコイルを内蔵し、傾斜磁場コイル２の内側に配置される。送信ＲＦコイルユニット６は、送信部７から高周波パルスの供給を受けて、高周波磁場を発生する。
【００２０】
なお、図１において静磁場磁石１、傾斜磁場コイル２および送信ＲＦコイルユニット６は、それらの中心軸を通る鉛直面で破断した様子を示している。
【００２１】
送信部７は、ラーモア周波数に対応する高周波パルスを送信ＲＦコイルユニット６に送信する。これによって送信ＲＦコイルユニット６からは、励起パルスが送信される。
【００２２】
受信ＲＦコイルユニット８は、少なくとも１つのコイルを内蔵し、傾斜磁場コイル２の内側に配置される。受信ＲＦコイルユニット８は、上記の励起パルスの影響により被検体から放射される磁気共鳴信号を受信する。受信ＲＦコイルユニット８からの出信号は、受信部９に入力される。
【００２３】
受信部９は、受信ＲＦコイルユニット８からの出力信号に基づいて磁気共鳴信号データを生成する。
【００２４】
計算機システム１０は、インタフェース部１０ａ、データ収集部１０ｂ、再構成部１０ｃ、記憶部１０ｄ、表示部１０ｅ、入力部１０ｆおよび主制御部１０ｇを有している。
【００２５】
インタフェース部１０ａには、傾斜磁場電源３、寝台制御部５、送信部７および受信部９等が接続される。インタフェース部１０ａは、これらの接続された各部と計算機システム１０との間で授受される信号の入出力を行う。
【００２６】
データ収集部１０ｂは、受信部９から出力されるデジタル信号をインタフェース部１０ａを介して収集する。データ収集部１０ｂは、収集したデジタル信号、すなわち磁気共鳴信号データを、記憶部１０ｄに格納する。
【００２７】
再構成部１０ｃは、記憶部１０ｄに記憶された磁気共鳴信号データに対して、後処理、すなわちフーリエ変換等の再構成を実行し、被検体２００内の所望核スピンのスペクトラムデータあるいは画像データを求める。
【００２８】
記憶部１０ｄは、磁気共鳴信号データと、スペクトラムデータあるいは画像データとを、患者毎に記憶する。
【００２９】
表示部１０ｅは、スペクトラムデータあるいは画像データ等の各種の情報を主制御部１０ｇの制御の下に表示する。表示部１０ｅとしては、液晶表示器などの表示デバイスを利用可能である。
【００３０】
入力部１０ｆは、オペレータからの各種指令や情報入力を受け付ける。入力部１０ｆとしては、マウスやトラックボールなどのポインティングデバイス、モード切替スイッチ等の選択デバイス、あるいはキーボード等の入力デバイスを適宜に利用可能である。
【００３１】
主制御部１０ｇは、図示していないＣＰＵやメモリ等を有しており、ＭＲＩ装置を総括的に制御する。なお主制御部１０ｇは、被検体２００の撮影のためのスキャン動作がその撮影のために適用するべきパルスシーケンスに従って行われるように、傾斜磁場電源３、送信部７および受信部９をそれぞれ制御する機能を有する。また主制御部１０ｇは、上記のパルスシーケンスに従ったスキャン動作のための制御の実行に同期してコイル開閉部１４の動作を制御する機能を有する。
【００３２】
図２はループコイル１１，１２，１３の設置状況を示す斜視図である。
【００３３】
図２に示すようにループコイル１１，１２，１３は、ＭＲＩ装置１００が設置される撮影室３００の床面の下に埋設される。あるいはループコイル１１，１２，１３は、撮影室３００の床面上に配置されても良い。そしてループコイル１１，１２，１３は、ＭＲＩ装置１００の近傍に位置していれば、それぞれの配置一は任意で合って良いが、図２に示すように寝台４の周囲を囲むように配置されることが望ましい。
【００３４】
ループコイル１１，１２，１３はそれぞれ、その内部を通る磁束密度の変化により誘起されて電圧を発生する。ループコイル１１，１２，１３は、巻き方、巻き数、あるいはコイル巻きの間隔などを適宜に調整して、適正な感度を得られるように構成することが望ましい。
【００３５】
コイル開閉部１４は、図３に示すように３つのスイッチ１４ａ，１４ｂ，１４ｃを含む。スイッチ１４ａ，１４ｂ，１４ｃは、図３に示すようにループコイル１１，１２，１３のそれぞれと接近検出部１５との間に設けられている。そしてスイッチ１４ａ，１４ｂ，１４ｃは、主制御部１０ｇの制御の下に、ループコイル１１，１２，１３のそれぞれと接近検出部１５との電気的な接続をオン／オフする。
【００３６】
接近検出部１５は、ループコイル１１，１２，１３のそれぞれで発生される電圧の変化を監視し、これに基づいてＭＲＩ装置１００への磁性体の接近を検出する。
【００３７】
防止動作制御部１６は、ＭＲＩ装置１００に磁性体が接近していることが接近検出部１５により検出されたことに応じて、防止動作部１７を動作させる。
【００３８】
防止動作部１７は、磁性体がＭＲＩ装置１００に磁場吸引されることを防止するための防止動作を行う。防止動作部１７としては例えば、音声再生装置、発光装置、表示装置、エアバッグ装置、あるいは磁場消失手段などを適用できる。
【００３９】
次に以上のように構成されたＭＲＩ装置１００の動作について説明する。
【００４０】
静磁場磁石１は、その内部の撮影空間内に診断のための磁場を発生している。この磁場は、静磁場磁石１の撮影空間の外にも漏洩している。静磁場磁石１が発生する磁場は、時間的に変化しない静磁場であり、漏洩している磁場も同様に静磁場である。しかしながら、ＭＲＩ装置１００に磁性体が接近すると、その影響を受けて磁場の強度（磁束密度）が変化する。ループコイル１１，１２，１３を通る磁束密度がある時間ｄｔにおいて変化する量をｄΦ、ループコイル１１，１２，１３の周辺における磁束密度が時間ｄｔにおいて変化する量をｄＢ、ループコイル１１，１２，１３の内側の面積をＳと表すならば、ループコイル１１，１２，１３の両端に発生する電圧Ｖは、
Ｖ＝−（ｄΦ／ｄｔ）＝−（ｄＢ／ｄｔ）×Ｓ
となる。面積Ｓは変化しないから、電圧ＶはｄＢ／ｄｔに応じた大きさになる。すなわち電圧Ｖは、単位時間当たりの磁束密度の変化量に応じた大きさになる。そこで接近検出部１５は、ループコイル１１，１２，１３のそれぞれが発生する電圧Ｖのいずれか１つでも閾値を超えている場合に、磁性体が接近していると判断する。なお、閾値は、静磁場磁石１の性能などを考慮して、通常の静磁場の変化に応じて生じる電圧よりも大きく定めておく。すなわち、静磁場磁石１が発生する磁場は、その強度を完全に一定にすることは困難であり、実際には変動してしまう。そこで、このような磁場の変化に応じた電圧Ｖの変化を磁性体の接近と誤検出することがないように閾値を定めておく。
【００４１】
防止動作制御部１６は、接近検出部１５によって磁性体が接近していると判断されるのを待ち受けている。そして防止動作制御部１６は、磁性体が接近していると判断されたことに応じて、防止動作を実行するように防止動作部１７を制御する。この制御の下に防止動作部１７は、防止動作を実行する。防止動作部１７が音声再生装置である場合には、防止動作は音声メッセージの出力である。防止動作部１７が発光装置である場合には、防止動作は発光である。防止動作部１７が表示装置である場合には、防止動作は文字メッセージやアイコンなどの表示である。なお、音声メッセージや文字メッセージの内容は、例えば「磁性体がＭＲＩ装置に接近しています。」などである。防止動作部１７がエアバッグ装置である場合には、防止動作はエアバッグの展開である。防止動作部１７が磁場消失手段である場合には、防止動作は静磁場磁石１が発生する静磁場の消失である。
【００４２】
かくして、音声メッセージの出力、発光、あるいは文字メッセージやアイコンの表示などを実行した場合には、磁性体をＭＲＩ装置１００に近づけようとしている人間に対して注意を促すことができ、磁性体がＭＲＩ装置１００に近づけられることを防止できる。また自動扉の閉鎖や、エアバッグの展開を実行した場合には、磁性体がそれ以上ＭＲＩ装置１００に近づけられることを物理的に防止することができる。静磁場の消失を実行した場合には、磁性体がＭＲＩ装置１００に近づけられても、磁場吸引を生じさせないようにすることができる。これらによって、磁気吸引が発生することを従来よりも確実に防止することが可能となる。
【００４３】
なお、磁性体がループコイル１１，１２，１３に近接しておらず、磁性体とループコイル１１，１２，１３との間にある程度の距離があっても、ループコイル１１，１２，１３の周辺の漏洩磁場は磁性体の影響で乱され、ループコイル１１，１２，１３を通る磁束密度に変化が生じる。特にループコイル１１，１２，１３がＭＲＩ装置１００の近傍に配置されているために、ループコイル１１，１２，１３の周囲の漏洩磁場が安定している。このため、閾値を比較的小さく設定することができ、比較的小さな漏洩磁場の乱れを磁性体の接近として検出することができる。さらには、点滴台、ストレッチャ、車椅子、あるいは酸素ボンベはサイズが大きいから、ループコイル１１，１２，１３の周辺の漏洩磁場を乱しやすい。このことから、点滴台、ストレッチャ、車椅子、あるいは酸素ボンベなどについては、磁場吸引が発生する前にその接近を検出して、防止動作を講じることが可能である。
【００４４】
さらには、点滴台、ストレッチャ、車椅子、あるいは酸素ボンベなどに含まれる磁性体は、低い位置（床から近い位置）に存在することが多い。このため、点滴台、ストレッチャ、車椅子、あるいは酸素ボンベなどがＭＲＩ装置１００に接近する場合、低い位置の漏洩磁場がより大きく乱される傾向がある。ループコイル１１，１２，１３が床面の近傍に配置されていることから、ループコイル１１，１２，１３は上記のような漏洩磁場の大きな乱れに応じた大きな電圧Ｖを発生することができ、点滴台、ストレッチャ、車椅子、あるいは酸素ボンベなどの接近について特に高い検出感度を得ることができる。
【００４５】
さて、接近検出部１５にて上記のように磁性体の接近を検出するためには、ループコイル１１，１２，１３のそれぞれと接近検出部１５とが電気的に接続されている必要がある。しかしながら、スキャン動作を実行する際には、送信ＲＦコイルユニット６から励起パルスが送信される。この励起パルスによっても、ループコイル１１，１２，１３を通る磁束密度が変化するために、ループコイル１１，１２，１３のそれぞれで電圧が生じる。しかも、漏洩磁場の変動に比べて励起パルスはエネルギが非常に大きいので、ループコイル１１，１２，１３のそれぞれで発生する電圧が大きくなる。そしてこのような大きな電圧が接近検出部１５にそのまま入力された場合、接近検出部１５を構成する電気回路が破損してしまうおそれがある。
【００４６】
そこで主制御部１０ｇは、図４に示すような処理を実行する。
【００４７】
まず主制御部１０ｇは、通常はスイッチ１４ａ，１４ｂ，１４ｃをいずれもオンさせて、ループコイル１１，１２，１３のそれぞれを接近検出部１５に接続させておく。そしてこの状態で、ステップＳａ１において主制御部１０ｇは、スキャン開始がユーザによって指示されるのを待ち受ける。この状態において、例えば入力部１０ｆに設けられた開始ボタンの押下などによってスキャン開始がユーザにより指示されたならば、主制御部１０ｇはステップＳａ１からステップＳａ２へ進む。
【００４８】
ステップＳａ２において主制御部１０ｇは、コイル開放をコイル開閉部１４に対して指示する。そうするとコイル開閉部１４では、スイッチ１４ａ，１４ｂ，１４ｃがオフとなり、ループコイル１１，１２，１３が開放される。こののちに主制御部１０ｇは別ルーチンの処理として、所定のパルスシーケンスに従ったスキャン動作を実現するための制御を実行する。
【００４９】
そこで図４に示す処理において主制御部１０ｇは、上記のスキャン動作が完了するのを待ち受ける。そしてスキャン動作が完了したならば、主制御部１０ｇは、ステップＳａ３からステップＳａ４へ進む。
【００５０】
ステップＳａ４において主制御部１０ｇは、コイル接続をコイル開閉部１４に対して指示する。そうするとコイル開閉部１４では、スイッチ１４ａ，１４ｂ，１４ｃがオンとなり、ループコイル１１，１２，１３のそれぞれが接近検出部１５に接続される。
【００５１】
このようにな処理により、励起パルスの送信が行われるときにはループコイル１１，１２，１３は開放されており、接近検出部１５に電気的に接続されていない。従って、接近検出部１５が励起パルスに起因して破損してしまうことが防止される。そして、スキャンを行っているとき以外はループコイル１１，１２，１３のそれぞれが接近検出部１５に接続されているので、磁性体の接近を確実に検出することができる。
【００５２】
この実施形態は、次のような種々の変形実施が可能である。
【００５３】
ループコイル１１，１２，１３のうちの１つまたは２つを省略しても良い。特に、ＭＲＩ装置１００が撮影室３００の側壁に近接して配置され、当該側壁とＭＲＩ装置１００との間に磁性体が存在する可能性が低い場合には、その位置に配置されるべきループコイルを省略して構わない。あるいは、ループコイル１１，１２，１３の他に任意の数のループコイルを追加して設けても良い。
【００５４】
励起パルスの送信レベルが、接近検出部１５を破損させるほどの電圧をループコイル１１，１２，１３に生じさせるほどに大きくない場合には、コイル開閉部１４と、主制御部１０ｇにおけるコイル開閉部１４の制御機能とを省略することも可能である。
【００５５】
スキャン開始指示がなされてから励起パルスが最初に送信されるまでの間に何らかの処理が行われるならば、その処理が終了するのを待ってループコイル１１，１２，１３を開放しても良い。同様に、励起パルスが最後に送信されてからスキャン動作が完了するまでの間に何らかの処理が行われるならば、その処理の開始に先立ってループコイル１１，１２，１３のそれぞれを接近検出部１５に接続しても良い。
【００５６】
点滴台、ストレッチャ、車椅子、あるいは酸素ボンベは、一般的に被検体２００を撮影室内に搬入する際に撮影室内に持ち込まれる。天板４ａへの被検体２００の載せ下ろしは、天板４ａが撮影空間から最大限に引き出された状態、すなわち天板４ａがいわゆるアウトリミットに位置している状態にて行われる。そして天板４ａは、スキャンを開始する必要が生じてから撮影空間へと送り込まれ、またスキャンが完了してからアウトリミットまで引き出される。このことから、天板４ａがアウトリミットに位置している状態においてのみ、ループコイル１１，１２，１３のそれぞれを接近検出部１５に接続しておくようにしても良い。ＭＲＩ装置の寝台は一般に、その天板がアウトリミットに位置しているか否かを検出する機能を有している。そこで、その検出信号に応じてコイル開閉部１４を制御すれば、上記のような動作を実現できる。この場合、コイル開閉部１４の制御は主制御部１０ｇで行うこともできるし、主制御部１０ｇとは別の制御部を設けて行うこともできる。この場合、天板４ａがアウトリミットに位置しているときのみならず、アウトリミット近傍の所定領域に位置しているときにはループコイル１１，１２，１３のそれぞれを接近検出部１５に接続しておくようにしても良い。
【００５７】
ループコイル１１，１２，１３、コイル開閉部１４、接近検出部１５、防止動作制御部１６および防止動作部１７と、コイル開閉部１４を制御する機能とを備えた磁性体接近防止装置として構成し、別体のＭＲＩ装置に付随して使用するように実施されても良い。
【００５８】
上記の実施形態におけるコイル開閉部１４およびその制御は、床面の近傍とは異なる場所に配置したループコイルを用いて磁性体の接近を検出する場合においても有効である。
【００５９】
イメージングを行わないタイプの磁気共鳴診断装置にも本発明の適用が可能である。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００６１】
１…静磁場磁石、２…傾斜磁場コイル、３…傾斜磁場電源、４…寝台、４ａ…天板、５…寝台制御部、６…送信ＲＦコイルユニット、７…送信部、８…受信ＲＦコイルユニット、９…受信部、１０…計算機システム、１０ａ…インタフェース部、１０ｂ…データ収集部、１０ｃ…再構成部、１０ｄ…記憶部、１０ｅ…表示部、１０ｆ…入力部、１０ｇ…主制御部、１１，１２，１３…ループコイル、１４…コイル開閉部、１４ａ，１４ｂ，１４ｃ…スイッチ、１５…接近検出部、１６…防止動作制御部、１７…防止動作部、１００…磁気共鳴イメージング装置（ＭＲＩ装置）、２００…被検体。
【図１】
2011000273.tif 000003
【図２】
2011000273.tif 000004
【図３】
2011000273.tif 000005
【図４】
2011000273.tif 000006